(57)【要約】【課題】室外ユニットの外郭部品における板厚の削減や梱包における支柱の廃止ができ、天面に人が乗ってもトップパネルがへこまない補強を図った空気調和機の室外ユニットを得る。【解決手段】熱交換器３上部とトップパネル９との間に形成される空間を埋める補強部材８を備える。【選択図】図３
2008185264.tif 000002
【特許請求の範囲】
【請求項１】
少なくともトップパネル及び外郭を含む筐体と、
該筐体内に配置された熱交換器と
を備えた空気調和機の室外ユニットにおいて、
前記熱交換器上部と前記トップパネルとの間に形成される空間を埋める補強部材を備えたことを特徴とする空気調和機の室外ユニット。
【請求項２】
前記外郭の上部外縁は折り曲げ部を備え、
該折り曲げ部は前記補強部材と重なり合う重合部を備えたことを特徴とする請求項１に記載の空気調和機の室外ユニット。
【請求項３】
前記熱交換器は横断面略Ｌ字形状に形成され、
該熱交換器は前記筐体内の片側側面から後面にかけて配置され、
前記補強部材は前記熱交換器の側面側上部に備えられたことを特徴とする請求項１又は請求項２に記載の空気調和機の室外ユニット。
【請求項４】
前記外郭はフロントパネルを含み、
該フロントパネルが前記重合部を備えることを特徴とする請求項２又は請求項３に記載の空気調和機の室外ユニット。
【発明の詳細な説明】
【技術分野】
【０００１】
この発明は空気調和機の室外ユニットに関し、特にトップパネルの補強を図る構造に関するものである。
【背景技術】
【０００２】
従来の空気調和機の室外ユニットにおけるトップパネルの補強構造としては、例えば「仕切板２４の上端折曲片２８には掛合孔２９，２９が所定間隔を存して穿設されている。これら掛合孔２９，２９は補強板３０に切起し加工される械止舌片３１，３１が掛合する。補強板３０の一端縁は下方に折曲され、この折曲片３２は上記ガード板３と熱交換器７との間に介挿する。そしてこの折曲片３２と所定間隔を存して一対の規制片３３，３３が切起し加工され、折曲片３２側の規制片３３は互いに熱交換器７の上端部に嵌合してこの位置規制を行う。また、互いの規制片３３，３３によりもう一組の熱交換器７の位置規制も可能である。このようにして、補強板３０が仕切板２４の上縁と熱交換器７の上面とに跨って載置され、この補強板３０の上に天板５が載置される。」（例えば特許文献１参照）というものが提案されている。
【０００３】
【特許文献１】特開昭６１−９３３６５号公報（第２，３頁、図５）
【発明の開示】
【発明が解決しようとする課題】
【０００４】
従来の室外ユニットの補強構造では、室外ユニットの外郭部品を除いては、補強板を介して室外ユニット後面側の熱交換器の一部及び仕切板のみが室外ユニットのトップパネルに垂直方向にかかる圧縮荷重を支持しており、残りの熱交換器部分ではこの圧縮荷重を支持していなかった。したがって、上記圧縮荷重を支持するために室外ユニットの外郭部品の板厚を厚くして補強を図る必要があるという問題点があった。また、室外ユニットを梱包する際にも、上記圧縮荷重を支持する外郭部品を補強するために室外ユニットの四隅に支柱を配置して梱包する必要があるという問題点があった。このため、コスト高となっていた。さらに、室外ユニットの側面側に位置する熱交換器の上面には、上記圧縮荷重を支持する補強部材が無くトップパネルとの間に空間が空いていたために、室外ユニットの据え付け時等やトラックへの積み込み時に、この空間上のトップパネル部分に作業員が乗った場合にトップパネルがへこむという問題点があった。
【０００５】
また、室外ユニットでは、プロペラファンによって外部の空気を室外ユニット内に吸い込み、熱交換器で熱交換を行った後に吹き出し口から空気を吹き出す風路行程をとるが、熱交換器上部に空間があるため、この空間から空気が流入する空気もれが起こるという問題があった。このため、本来の風路行程を通過する空気流量が減り熱交換効率が低下するので、断熱材等で当該空間を埋める必要があった。
【０００６】
この発明は、上述のような課題を解決するためになされたものであり、第１の目的は室外ユニットの外郭部品における板厚の削減や梱包における支柱の廃止ができ、トップパネルに人が乗ってもトップパネルがへこまない補強を図った空気調和機の室外ユニットを得ることにある。また、第２の目的は熱交換器上部からの空気もれを防止できる室外ユニットを得るものである。
【課題を解決するための手段】
【０００７】
この発明に係る空気調和機の室外ユニットは、少なくともトップパネル及び外郭を含む筐体と、該筐体内に配置された熱交換器とを備えた空気調和機の室外ユニットにおいて、前記熱交換器上部と前記トップパネルとの間に形成される空間を埋める補強部材を備えるものである。
【発明の効果】
【０００８】
この発明においては、熱交換器とトップパネルとの間に形成される空間を埋める補強部材を設けたので、トップパネルにかかる圧縮荷重を受ける面積が大きくなり、圧縮荷重をトップパネル→補強部材→熱交換器へと受けることができる。このため、室外ユニットの外郭部品における板厚の削減や梱包における支柱の廃止ができ、トップパネルに人が乗ってもトップパネルがへこまないように補強を図ることができる。また、熱交換器上部からの空気もれを防止することができる。
【発明を実施するための最良の形態】
【０００９】
実施の形態
図１は、この発明の実施形態における空気調和機の室外ユニットの右側前方から見た組立斜視図である。図２は、この室外ユニットの左側後方から見た組立斜視図である。図１及び図２において、室外ユニット１には底板２が設けられている。この底板２の上面には、室外ユニット１後面から左側側面にかけて横断面略Ｌ字形状の例えばフィンチューブ型熱交換器３が設けられている。この熱交換器３は略Ｌ字形状の屈曲部が曲面形状になっており、室外ユニット１左側の平面部３ａ、曲面部３ｂ及び室外ユニット１後側の平面部３ｃで形成されている。熱交換器３を除く後面及び右側側面には横断面略Ｌ字形状に成形されたサイドパネル４が設けられている。室外ユニット１の前面から熱交換器３の平面部３ａの外側にかけて、前面部に吹き出し口６を備えた横断面略Ｌ字形状のフロントパネル５が設けられている。また、フロントパネル５は、熱交換器３の平面部３ａに対向した面に空気を外部から取り込む通風窓５ａが設けられている。熱交換器３の曲面部３ｂの外側には、曲面部３ｂの曲面に対応した曲面を有する例えばプラスチック製のネット７が設けられている。このネット７にも空気を外部から取り込む通風窓７ａが設けられている。つまり、サイドパネル４、フロントパネル５及びネット７がこの発明の外郭に相当する。
また、熱交換器３の平面部３ａの上部には例えばプラスチック部材である補強部材８が設けられている。
【００１０】
室外ユニット１の上部にはトップパネル９が設けられている。トップパネル９は水平面部９ａから傾斜部９ｂを介して外縁部９ｃが垂直下向きに形成されている。トップパネル９は、外縁部９ｃが前面及び左側側面はフロントパネル５に着脱自在にネジ固定され、右側側面はサイドパネル４に着脱自在にネジ固定される。
【００１１】
室外ユニット１の内部は、基板カバー１０の下部に設けられた仕切板（図示せず）によって２分されている。室外ユニット１の右側の一室には、基板カバー１０の下部に制御基板（図示せず）が配置され、さらに制御基板の下部には冷媒を圧縮し送出する圧縮機（図示せず）及び冷媒を貯留するアキュームレータ等（図示せず）が配置されている。基板カバー１０上部には隙間ふさぎ部材１０ａが設けられている。この隙間ふさぎ部材１０ａは、空気の流れを遮るとともにトップパネル９により基板カバー１０を押圧する機能があるが、基板カバー１０を外すときのつまみともなる。
【００１２】
他方、室外ユニット１の左側の一室には、例えばプロペラファン１１が吹き出し口６と対向する位置に設置されている。このプロペラファン１１は、ファン取り付け台１２に固定されており、ファン取り付け台１２は底板２の上面にネジ固定されている。ファン取り付け台１２の上部後面には下向きに開口するコの字形状に形成された係止部１２ａが例えば溶接により設けられており、熱交換器３の上部に係止され位置決めされている。ファン取り付け台１２の上部前面には、支持片１２ｂが例えば溶接により水平に設けられており、トップパネル９の垂直方向にかかる圧縮荷重を支持している。
【００１３】
図３は、この発明の実施形態における室外ユニット１の図１のＡ−Ａ線断面模式図である。補強部材８の下部には凹部８ａが設けられており、この凹部により補強部材８は熱交換器３の平面部３ａの上部に係止されている。補強部材８の上部には、トップパネル９の傾斜部９ｂに対向する傾斜部８ｂが設けられており、トップパネル９と補強部材８との間に隙間ができない形状となっている。また、この傾斜部８ｂの下端側には階段状に一段下がった傾斜部８ｃが設けられている。
【００１４】
フロントパネル５は例えば金属製である。フロントパネル５の上部には階段状に折り曲げ加工が施されており、最上部にはトップパネル９の傾斜部９ｂに対向する傾斜部５ｂが設けられている。この傾斜部５ｂは本発明の重合部に相当し、補強部材８の傾斜部８ｃの上方に重なり合うように配置されている。トップパネル９の取り付け時には、傾斜部８ｃの上方で傾斜部５ｂ及び傾斜部９ｂが接した状態となっている。
【００１５】
次に、図１及び図２を用いて室外ユニット１内の空気流れについて説明する。プロペラファン１１が回転することにより、外部の空気は熱交換器３を通り室外ユニット１内に吸い込まれる。空気は、熱交換器３を通過する際に熱交換を行い、吹き出し口６から室外ユニット１の外へ吹き出される。外部の空気が室外ユニット１内に吸い込まれるときに、熱交換器３上部とトップパネル９との間に空間があると、空気はより風路抵抗の少ないこの空間を通り室外ユニット１内に吸い込まれてしまう。しかし、熱交換器３の平面部３ａの上部とトップパネル９との間に補強部材８が隙間なく設けられているため、熱交換器３の平面部３ａ上部からの空気の流入を防止することができる。
【００１６】
このように構成された空気調和機の室外ユニット１においては、熱交換器３の平面部３ａの上部とトップパネル９の間に補強部材８が隙間なく設けられているため、トップパネル９にかかる圧縮荷重を受ける面積が大きくなり、平面部３ａ上部のトップパネル９にかかる圧縮荷重をトップパネル→補強部材８→熱交換器３の平面部３ａ→底板２へと受けることができ、充分な補強構造を得ることができる。このため、フロントパネル５が支持する圧縮荷重が減少し、フロントパネル５の板厚の削減を図ることができる。また、梱包時に補強のために配置していた支柱を廃止することができる。また、人が乗った場合でも、補強部材８によって平面部３ａの上部とトップパネル９の間に空間がないため、トップパネル９のへこみを防止することができる。
【００１７】
さらに、トップパネル９の取り付け時には、傾斜部８ｃの上方で傾斜部５ｂ及び傾斜部９ｂが接した状態となっているため、フロントパネル５も補強部材８が設けられた範囲のトップパネル９の圧縮荷重を支持し、さらなる補強効果が得られる。
【００１８】
また、熱交換器３の平面部３ａの上部とトップパネル９との間に補強部材８が隙間なく設けられているため、熱交換器３の平面部３ａ上部から空気が流入することなく、空気もれを防止することができる。
【００１９】
なお、本実施形態では補強部材８にプラスチックを用いたが、本発明を実施できる種類であれば、プラスチックの種類は問わない。金属等の他の材質でも可能である。加工方法も種々の加工方法が可能である（例えば射出成形、機械加工等）。フロントパネル５も金属製に限らず、樹脂等の他の材質で製作することもできる。ファン取り付け台１２も金属の溶接構造に限らず、他の加工方法（例えば板金、ダイカスト又は射出成形等）でも良いし、樹脂等の他の材質で製作することもできる。
熱交換器３はフィンチューブ型熱交換器を使用したが、これに限らず積層型熱交換器等を用いてもよい。プロペラファン１１も軸流送風機に限らず、シロッコファンやターボファン等の遠心送風機を使用してもよい。
【図面の簡単な説明】
【００２０】
【図１】この発明の実施形態における空気調和機の室外ユニットを示す右側前方から見た組立斜視図である。
【図２】この発明の実施形態における室外ユニットを示す左側後方から見た組立斜視図である。
【図３】この発明の実施形態における室外ユニットを示す図１のＡ−Ａ線断面模式図である。
【符号の説明】
【００２１】
１  室外ユニット、２  底板、３  熱交換器、３ａ  平面部、３ｂ  曲面部、３ｃ  平面部、４  サイドパネル、５  フロントパネル、５ａ  通風窓、５ｂ  傾斜部、６  吹き出し口、７  ネット、７ａ  通風窓、８  補強部材、８ａ  凹部、８ｂ  傾斜部、８ｃ  傾斜部、９  トップパネル、９ａ  水平面部、９ｂ  傾斜部、９ｃ  外縁部、１０  基板カバー、１０ａ  隙間ふさぎ部材、１１  プロペラファン、１２  ファン取り付け台、１２ａ  係止部、１２ｂ  支持片。
【図１】
2008185264.tif 000003
【図２】
2008185264.tif 000004
【図３】
2008185264.tif 000005